(57)【特許請求の範囲】
【請求項１】
動画像を撮影する動画撮影モードと静止画像を撮影する静止画撮影モードとを有し、撮影した画像を記録媒体に記録する撮像装置において、
シャッターボタンと、
前記シャッターボタンの押下に応じて、静止画像または動画像を撮影する撮像手段と、前記撮像手段による動画像の撮影と静止画像の撮影とを切り替えるための制御手段であって、前記シャッターボタンが半押しされたことに応じて、動画像の撮影を開始し、前記シャッターボタンの押下が解除された、または、前記シャッターボタンが全押しされたことに応じて、前記シャッターボタンの半押しに応じて撮影が開始された動画像の撮影を終了し、前記シャッターボタンが全押しされ、動画像の撮影を終了したことに応じて、静止画像を撮影するように制御する制御手段と、
撮影が開始されてから撮影が終了するまでの動画像を１つの動画像ファイルとして前記記録媒体に記録し、撮影された静止画像を静止画像ファイルとして前記記録媒体に記録する記録手段であって、前記シャッターボタンが全押しされた場合は、前記シャッターボタンが半押しされて動画像の撮影が開始されてから前記シャッターボタンが全押しされて動画像の撮影が終了するまでに撮影された動画像の動画像ファイルと前記シャッターボタンの全押しに応じて撮影された静止画像の静止画像ファイルとを関連付けるための関連付けファイルを前記記録媒体に記録する記録手段とを有し、
前記関連付けファイルは、静止画像ファイルの静止画像が再生されるときに、当該静止画像ファイルに関連付けられた動画像ファイルがある場合に、動画再生メニューを表示するために使用されるファイルであることを特徴とする撮像装置。
【請求項２】
前記記録手段は、前記記録媒体の動画像用ディレクトリに動画像ファイルを、静止画像用ディレクトリに静止画像ファイルを、関連付け用ディレクトリに関連付けファイルを記録し、
前記動画像用ディレクトリ、前記静止画像用ディレクトリおよび前記関連付け用ディレクトリは、前記記録媒体の所定のディレクトリの下に作成されていることを特徴とする請求項１に記載の撮像装置。
【請求項３】
前記記録媒体に記録されている画像ファイルの画像を表示するための表示手段と、
静止画像ファイルの静止画像を表示するときに、前記関連付けファイルにより当該静止画像ファイルに対して動画像ファイルが関連付けられている場合は、前記表示手段に動画再生メニューを表示させる表示制御手段を有すること特徴とする請求項１または２に記載の撮像装置。
【請求項４】
シャッターボタンと、前記シャッターボタンの押下に応じて、静止画像または動画像を撮影する撮像手段とを備え、動画像を撮影する動画撮影モードと静止画像を撮影する静止画撮影モードとを有し、撮影した画像を記録媒体に記録する撮像装置の制御方法であって、
前記撮像手段による動画像の撮影と静止画像の撮影とを切り替える際、前記シャッターボタンが半押しされたことに応じて、動画像の撮影を開始し、前記シャッターボタンの押下が解除された、または、前記シャッターボタンが全押しされたことに応じて、前記シャッターボタンの半押しに応じて撮影が開始された動画像の撮影を終了し、前記シャッターボタンが全押しされ、動画像の撮影を終了したことに応じて、静止画像を撮影するように制御する制御ステップと、
撮影が開始されてから撮影が終了するまでの動画像を１つの動画像ファイルとして前記記録媒体に記録し、撮影された静止画像を静止画像ファイルとして前記記録媒体に記録する際、前記シャッターボタンが全押しされた場合は、前記シャッターボタンが半押しされて動画像の撮影が開始されてから前記シャッターボタンが全押しされて動画像の撮影が終了するまでに撮影された動画像の動画像ファイルと前記シャッターボタンの全押しに応じて撮影された静止画像の静止画像ファイルとを関連付けるための関連付けファイルを前記記録媒体に記録する記録ステップとを有し、
前記関連付けファイルは、静止画像ファイルの静止画像が再生されるときに、当該静止画像ファイルに関連付けられた動画像ファイルがある場合に、動画再生メニューを表示するために使用されるファイルであることを特徴とする撮像装置の制御方法。
【発明の詳細な説明】
【０００１】
【発明の属する技術分野】
本発明は、静止画像および動画像をフラッシュメモリなどの記録媒体に記録する撮像装置およびその制御方法に関する。
【０００２】
【従来の技術】
近年、静止画をフラッシュメモリに記録するデジタルスチルカメラが急速に普及している。この種のデジタルスチルカメラは、従来、静止画だけを記録する撮像装置であったが、最近の記録媒体の大容量化および情報圧縮技術の進歩により、静止画のみならず音声を含む動画を記録できるデジタルスチルカメラが出現している。
【０００３】
このデジタルスチルカメラは静止画撮影モードおよび動画撮影モードを有しており、モード切り替えスイッチで切り替えることにより、撮影モードを変更し、その後、撮影スイッチを押すことにより、モードスイッチの位置に対応したモードの撮影を開始することが通常であった。
【０００４】
撮影された結果は、記録媒体に作成されたファイルシステムフォーマットにしたがってファイルの形で記録され、撮影されたファイルの区別は、各ファイル毎に設定されたファイル属性情報のうち、主にファイル名により行われていた。
【０００５】
【発明が解決しようとする課題】
しかしながら、上記従来のデジタルスチルカメラでは、以下に掲げる問題があった。すなわち、撮影・記録した動画と静止画との間には、何ら関連性がなく、ただ単に動画撮影機能と静止画撮影機能という別々の機能を１つの装置に組み込んでいるにすぎなかった。このため、ユーザが記録結果を後から確認する場合、動画と静止画がバラバラに再生されることになり、ユーザにとって楽しみが少なく、記録結果を確認しにくいという問題があった。
【０００６】
そこで、本発明は、撮影される動画と静止画との間に関連性を持たせることで、これらの画像の取り扱いを簡単にできる撮像装置およびその制御方法を提供することを目的とする。
【０００７】
【課題を解決するための手段】
上記目的を達成するために、本発明の撮像装置は、動画像を撮影する動画撮影モードと静止画像を撮影する静止画撮影モードとを有し、撮影した画像を記録媒体に記録する撮像装置において、シャッターボタンと、前記シャッターボタンの押下に応じて、静止画像または動画像を撮影する撮像手段と、前記撮像手段による動画像の撮影と静止画像の撮影とを切り替えるための制御手段であって、前記シャッターボタンが半押しされたことに応じて、動画像の撮影を開始し、前記シャッターボタンの押下が解除された、または、前記シャッターボタンが全押しされたことに応じて、前記シャッターボタンの半押しに応じて撮影が開始された動画像の撮影を終了し、前記シャッターボタンが全押しされ、動画像の撮影を終了したことに応じて、静止画像を撮影するように制御する制御手段と、撮影が開始されてから撮影が終了するまでの動画像を１つの動画像ファイルとして前記記録媒体に記録し、撮影された静止画像を静止画像ファイルとして前記記録媒体に記録する記録手段であって、前記シャッターボタンが全押しされた場合は、前記シャッターボタンが半押しされて動画像の撮影が開始されてから前記シャッターボタンが全押しされて動画像の撮影が終了するまでに撮影された動画像の動画像ファイルと前記シャッターボタンの全押しに応じて撮影された静止画像の静止画像ファイルとを関連付けるための関連付けファイルを前記記録媒体に記録する記録手段とを有し、前記関連付けファイルは、静止画像ファイルの静止画像が再生されるときに、当該静止画像ファイルに関連付けられた動画像ファイルがある場合に、動画再生メニューを表示するために使用されるファイルであることを特徴とする。
【０００８】
本発明の撮像装置の制御方法は、シャッターボタンと、前記シャッターボタンの押下に応じて、静止画像または動画像を撮影する撮像手段とを備え、動画像を撮影する動画撮影モードと静止画像を撮影する静止画撮影モードとを有し、撮影した画像を記録媒体に記録する撮像装置の制御方法であって、前記撮像手段による動画像の撮影と静止画像の撮影とを切り替える際、前記シャッターボタンが半押しされたことに応じて、動画像の撮影を開始し、前記シャッターボタンの押下が解除された、または、前記シャッターボタンが全押しされたことに応じて、前記シャッターボタンの半押しに応じて撮影が開始された動画像の撮影を終了し、前記シャッターボタンが全押しされ、動画像の撮影を終了したことに応じて、静止画像を撮影するように制御する制御ステップと、撮影が開始されてから撮影が終了するまでの動画像を１つの動画像ファイルとして前記記録媒体に記録し、撮影された静止画像を静止画像ファイルとして前記記録媒体に記録する際、前記シャッターボタンが全押しされた場合は、前記シャッターボタンが半押しされて動画像の撮影が開始されてから前記シャッターボタンが全押しされて動画像の撮影が終了するまでに撮影された動画像の動画像ファイルと前記シャッターボタンの全押しに応じて撮影された静止画像の静止画像ファイルとを関連付けるための関連付けファイルを前記記録媒体に記録する記録ステップとを有し、前記関連付けファイルは、静止画像ファイルの静止画像が再生されるときに、当該静止画像ファイルに関連付けられた動画像ファイルがある場合に、動画再生メニューを表示するために使用されるファイルであることを特徴とする。
【０００９】
【発明の実施の形態】
本発明の撮像装置およびその制御方法の実施の形態について説明する。本実施形態における撮像装置は、デジタルスチルカメラに適用される。
【００１０】
図１は実施の形態におけるデジタルスチルカメラの構成を示すブロック図である。図において、１０１は被写体を取り込む撮影レンズである。１０２はレンズ駆動モータであり、撮影レンズ１０１を駆動して後述する撮像素子に被写体像を結ばせる。１０３は絞りであり、後述する撮像素子への光量を制御する。１０４は撮像素子であり、撮影レンズ１０１を介して取り込んだ被写体像を画像信号に変換する。１０５はＣＤＳ（相関二重サンプリング）／ＡＧＣ（自動利得調整）回路であり、撮像素子１０４から出力される画像信号をサンプルホールドし、適正な信号レベルに変換する。
【００１１】
１０６はデジタル信号処理回路であり、ＣＤＳ／ＡＧＣ回路１０５から出力される画像信号をＡ／Ｄ変換してデジタル信号処理を行い、またマイク１１２から出力される音声信号をＡ／Ｄ変換し、デジタル信号処理を行う。１０７は静止画圧縮処理回路（ＪＰＥＧ処理回路）であり、デジタル信号処理回路１０６から出力されるデジタル画像信号をＪＰＥＧ形式で圧縮するとともに、後述する記録媒体に記録されたＪＰＥＧ圧縮データを伸張する。１０８は記録媒体であり、静止画圧縮処理回路１０７から出力されるＪＰＥＧ圧縮データや、後述する動画／音声圧縮処理回路１１３から出力されるＭｏｔｉｏｎ  ＪＰＥＧ方式で圧縮された動画データと音声データから構成されるＡＶＩファイルデータを記録する。ここでは、記録媒体１０８としてフラッシュメモリが用いられる。
【００１２】
１０９はＮＴＳＣ（Ｎａｔｉｏｎａｌ  Ｔｅｌｅｖｉｓｉｏｎ  ＳｙｓｔｅｍＣｏｍｍｉｔｔｅｅ）エンコーダであり、撮影時、デジタル信号処理回路１０６から出力されるデジタル画像信号を、また、静止画再生時、ＪＰＥＧ処理回路１０７から出力されるデジタル画像信号を、動画再生時、後述する動画／音声圧縮処理回路１１３から出力されるデジタル画像信号を、ＮＴＳＣ画像信号に変換して出力する。１１０は画像信号を出力する信号出力端子である。１１１は液晶ドライバであり、ＮＴＳＣエンコーダ１０９と同様、デジタル画像信号を後述する液晶ディスプレイに出力する。
【００１３】
１１２はマイクであり、音声信号を入力してデジタル信号処理部１０６に出力する。１１３は動画／音声圧縮処理回路であり、デジタル信号処理回路１０６から出力されるデジタル動画信号をＭｏｔｉｏｎ  ＪＰＥＧ方式で圧縮すると共に、デジタル音声信号と統合してＡＶＩファイルフォーマットに変換し、記録媒体１０８に記録する。また、記録媒体１０８にＡＶＩファイルフォーマットで記録された動画像に含まれるＭｏｔｉｏｎ  ＪＰＥＧデータを伸張する。さらに、分離したデジタル音声データをＤ／Ａ・アンプ回路１１４に送る。
【００１４】
Ｄ／Ａ・アンプ回路１１４は、動画／音声圧縮処理回路１１３からのデジタル音声信号をアナログ信号に変換し、その出力を増幅した後にスピーカ１１５に送る。スピーカ１１５は再生された音声を出力する。
【００１５】
１１６は本体内蔵の液晶ディスプレイであり、画像等を表示する。１１７はシステムコントローラであり、操作キーからの操作を受け付け、その操作を実行し、記録処理と再生処理の切り替え、および静止画処理と動画処理の切り替えを行う。１１８はカメラコントローラであり、前述した操作のうち、特に撮影レンズ１０１のフォーカス、露出等に関する制御を行う。１１９は多段式シャッターボタンであり、ユーザ操作によるボタン半押しや全押しなどのボタン押下量を段階的に検出し、撮影タイミングや撮影処理内容をシステムコントローラ１１７に伝える。１２０はキャラクタ発生器であり、液晶ディスプレイ１１６や信号出力端子１１０に重畳する文字情報を発生する。
【００１６】
図２は撮像処理手順を示すフローチャートである。この処理プログラムは、システムコントローラ１１７内のＲＯＭ（図示せず）に格納されており、同じくシステムコントローラ１１７内のＣＰＵ（図示せず）によって実行される。
【００１７】
まず、動画撮影処理が開始すると、シャッターボタン１１９が半押しされたか否かを繰り返し判別する（ステップＳ１０１）。半押しされたことを検出すると、動画撮影処理を開始する（ステップＳ１０２）。撮影された動画は、動画像圧縮処理を施されながら、記録媒体１０８としてのフラッシュメモリに逐次記録される。フラッシュメモリにはファイルシステムが構築されており、動画の記録はファイルシステム上のファイルの作成と書き込みにより行われる。
【００１８】
図３はファイルシステムのディレクトリ構造を示す図である。ルートディレクトリの下には、用途毎にディレクトリが作成されており、図３には３つのディレクトリが示されている。ディレクトリ”ｍｏｖｉｅ”には動画ファイルが保存され、ディレクトリ”ｓｔｉｌｌ”には静止画ファイルが保存される。ディレクトリ”ｒｅｌａｔｉｏｎ”には後述する関連付けファイルが保存される。
【００１９】
ここでは、ステップＳ１０２で動画撮影が開始され、動画撮影中であるので、動画ファイル”ｍｏｖｉｅ００１．ａｖｉ”という名称でディレクトリ”ｍｏｖｉｅ”の下にファイルが作成され、このファイルへの動画像圧縮データの書き込みが続けられる。ファイル名に付けられている数字はインデックス番号であり、ファイル名が重複しないように００１から順に値１増加する。
【００２０】
そして、動画の撮影を続けながら、シャッターボタン１１９が解除されたか否かを判別する（ステップＳ１０３）。シャッターボタン１１９が解除された場合、動画撮影処理を終了し（ステップＳ１０４）、ステップＳ１０１の処理に戻る。この動画撮影終了処理では、フラッシュメモリへの書き込みが終了し、ファイルがクローズされる。
【００２１】
一方、シャッターボタン１１９の解除が検出されない場合、シャッターボタン１１９が全押しされたか否かを判別する（ステップＳ１０５）。シャッターボタン１１９が全押しされていない場合、ステップ１０３の処理に戻り、引き続き動画撮影を続けながらシャッターボタン１１９のチェックを繰り返す。
【００２２】
そして、シャッターボタン１１９が全押しされた場合、動画撮影終了処理を行う（ステップＳ１０６）。この動画撮影終了処理では、前述したステップＳ１０４の処理と同様、フラッシュメモリへの書き込みを終了し、ファイルをクローズする。
【００２３】
この後、引き続いて静止画撮影処理を行う（ステップＳ１０７）。撮影された静止画像は、静止画像圧縮処理が施された後、フラッシュメモリに記録される。
すなわち、”ｓｔｉｌｌ”ディレクトリの下にファイル名”ｓｔｉｌｌ００１．ｊｐｇ”でファイルが作成され、データが書き込まれた後にファイルがクローズされる。ここで、ファイル名に付けられている数字は、動画像のファイル名と同様にインデックス番号であり、ファイル名が重複しないように００１から順に値１増加する。
【００２４】
最後に、既に作成した動画像ファイル”ｍｏｖｉｅ００１．ａｖｉ”と静止画ファイル”ｓｔｉｌｌ．ｊｐｇ”の関連付けを行うファイルを、”ｒｅｌａｔｉｏｎ”ディレクトリの下にファイル名”ｒｅｌ００１．ｉｐｈ”で作成し（ステップＳ１０８）、処理を終了する。ここで、ファイル名に付けられている数字は、インデックス番号であり、ファイル名が重複しないように００１から順に値１増加する。また、拡張子”ｉｐｈ”は、このファイルが関連付けファイルであることを示す。
【００２５】
図４は関連付けファイルに保存されるデータを示す図である。先頭の１行目の”［Ｉ−ｐｈｏｔｏ］”は、このファイルが関連付けファイルであることを示すタグである。２行目の”［ｉｎｄｅｘ］”は、次の１行が何番目の関連付けファイルであるかを示すインデックス番号であることを示すタグである。３行目の数字”００１”はその中身であり、この場合、インデックス番号が１番であることを示している。
【００２６】
４行目の”［ＩｍａｇｅＰａｔｈ］”は、次の１行が関連付けする静止画ファイルの相対パスを表すことを示す。５行目の”．．￥ｓｔｉｌｌ￥ｓｔｉｌｌ００１．ｊｐｇ”は１つ上のディレクトにある”ｓｔｉｌｌ”ディレクトリの下のファイル”ｓｔｉｌｌ００１．ｊｐｇ”を関連付けていることを示す。６行目の”［ＭｏｖｉｅＰａｔｈ］”は、次の１行が関連付けする動画ファイルの相対パスを表すことを示しており、７行目の”．．￥ｍｏｖｉｅ￥ｍｏｖｉｅ００１．ａｖｉ”は１つ上のディレクトにある”ｍｏｖｉｅ”ディレクトリの下のファイル”ｍｏｖｉｅ００１．ａｖｉ”を関連付けていることを示す。
【００２７】
ステップＳ１０８の処理では、関連付けファイル”ｒｅｌ００１．ｉｐｈ”に、上記関連付け情報が記録された後、ファイルがクローズされる。
【００２８】
図５は記録された静止画および動画を再生するときの再生処理手順を示すフローチャートである。この処理プログラムは、システムコントローラ１１７内のＲＯＭ（図示せず）に格納されており、同じくシステムコントローラ１１７内のＣＰＵ（図示せず）によって実行される。
【００２９】
まず、コンパクトフラッシュ（ＣＦ）カードに作成されたｒｅｌａｔｉｏｎｓディレクトリから、撮影時に記録された関連付け情報ファイルを１つ読み込む（ステップＳ２０１）。ファイルに記録された静止画のパスで示された静止画ファイルをｓｔｉｌｌディレクトリから読み込み、静止画像を表示する（ステップＳ２０２）。関連付けられた動画のパスがあるか否かを判別し（ステップＳ２０３）、関連付けられた動画のパスがない場合、処理を終了する。一方、関連付けられた動画のパスがある場合、動画再生メニューを表示する（ステップＳ２０４）。
【００３０】
ユーザインタフェースによりユーザが動画の再生を指示すると（ステップＳ２０５）、動画パスに指定された動画ファイルをｍｏｖｉｅディレクトリから読み込み、動画の再生を開始する（ステップＳ２０６）。そして、関連付けられた動画の再生が終了すると、この処理を終了する。
【００３１】
本実施形態では、使用者はシャッタボタン１１９を半押しした状態で動画を撮影し、高解像度の静止画で撮影を行いたいシャッタチャンスが訪れた瞬間に、さらにシャッタボタンを押し込むことにより、静止画を撮影することができ、動画と静止画との間で無駄な時間が生じず、連続して撮影することができる。
【００３２】
また、同時に記録される関連付け情報ファイルにより、静止画を表示しておき、再生を選択すると、撮影時に関連付けられた動画を再生させたり、その逆に、動画を再生しながら、最後に高解像度の静止画を表示させるといった取り扱いが可能である。
【００３３】
このように、関連付けファイルを作成することにより、静止画ファイルや動画ファイル自体に変更を加えないで済むので、通常の静止画表示アプリケーションや動画表示アプリケーションをそのまま使用して静止画や動画を見ることができる。
【００３４】
さらに、関連付けファイルを認識することのできるアプリケーションを使用することにより、静止画と動画を関連付けられた単位として認識でき、高解像度の静止画を表示した状態で再生ボタンをマウスクリックすると動画を再生するというような表示が可能である。
【００３５】
また、関連付けファイルを単純なテキストファイルで作成するので、後からＰＣ上で関連付けファイルを変更する場合、テキストエディタなどで容易に編集することが可能である。また、この編集は、撮影時にカメラ内部処理でも簡単に行うことができる。
【００３６】
以上が本発明の実施の形態の説明であるが、本発明は、実施の形態の構成に限られるものではなく、特許請求の範囲で示した機能、または実施の形態の構成が持つ機能が達成できる構成であればどのようなものであっても適用可能である。
【００３７】
また、本発明は、前述した実施形態の機能を実現するソフトウェアのプログラムコードを記憶した記録媒体を用いて、装置にプログラムを供給することによって達成される場合にも適用できることはいうまでもない。この場合、記憶媒体から読み出されたプログラムコード自体が本発明の新規な機能を実現することになり、そのプログラム自体およびそのプログラムを記憶した記憶媒体は本発明を構成することになる。
【００３８】
上記実施形態では、図２、図５のフローチャートに示すプログラムコードは記憶媒体であるシステムコントローラ１１７内のＲＯＭに格納されている。プログラムコードを供給する記憶媒体としては、ＲＯＭに限らず、例えばフロッピーディスク、ＣＤ−ＲＯＭ、ＤＶＤ、不揮発性のメモリカードなどを用いることができる。
【００３９】
【発明の効果】
本発明によれば、撮影される動画と静止画との間に関連性を持たせることで、これらの画像の取り扱いを簡単にできる。したがって、使用者は、記録された画像の再生を十分に楽しむことができ、また記録結果を容易に確認できる。
【図面の簡単な説明】
【図１】実施の形態におけるデジタルスチルカメラの構成を示すブロック図である。
【図２】撮像処理手順を示すフローチャートである。
【図３】ファイルシステムのディレクトリ構造を示す図である。
【図４】関連付けファイルに保存されるデータを示す図である。
【図５】記録された静止画および動画を再生するときの再生処理手順を示すフローチャートである。
【符号の説明】
１０７  静止画圧縮処理回路
１０８  記録媒体
１１３  動画／音声圧縮処理回路
１１７  システムコントローラ
１１９  シャッターボタン
【図１】
0004500465.tif 000002
【図２】
0004500465.tif 000003
【図３】
0004500465.tif 000004
【図４】
0004500465.tif 000005
【図５】
0004500465.tif 000006